(57)【特許請求の範囲】
【請求項１】
走行レールに沿って走行自在とされるランナ本体と、該ランナ本体から下方向に突出した連結軸と、吊戸の上部に固定され前記連結軸と連結されるランナ取付具とからなり、前記ランナ取付具が吊戸に固定されるアウターケースと、前記連結軸に取り付けられ前記アウターケースに対して着脱自在とされるインナーケースとからなる吊戸の吊込み装置であって、
前記アウターケースは、上面に前記連結軸を挿入するための挿入溝が形成されるとともに、該挿入溝中間の両側縁部に凹状の切欠きによって溝幅を拡大させた被係合部が設けられ、
前記インナーケース内には、上下方向にスライド可能に支持されるとともに、バネ部材により突出方向に付勢保持され、突出した状態から没入可能とされるロック部材が備えられるとともに、該ロック部材の上端の両側部に水平方向に突出する係合部が設けられ、前記アウターケースに対する嵌合時に、前記係合部が前記アウターケースに形成された被係合部に係止することにより該インナーケースを抜脱不能に保持するようにしてあり、
前記ロック部材の吊戸小口側の側面に凹部が設けられるとともに、前記インナーケースの吊戸小口側の壁面に開口が形成され、前記開口から棒状物を差込み、先端を前記凹部に当接させて反付勢方向に移動することにより、前記インナーケースとアウターケースとの係合を解除可能としたことを特徴とする吊戸の吊込み装置。
【請求項２】
前記ロック部材には、両側面にインナーケースから外方に突出する突出軸が設けられるとともに、前記アウターケースには前記ロック部材の没入操作時に前記突出軸が摺接する傾斜辺が形成され、前記ロック部材の没入操作時に前記突出軸が前記傾斜辺を摺動することにより、前記インナーケースをアウターケースから抜脱方向に押し出すようにしてある請求項１記載の吊戸の吊込み装置。
【発明の詳細な説明】
【技術分野】
【０００１】
本発明は、たとえば片引き戸、引違い障子や折戸などにおける吊戸の吊込み装置に係り、詳しくは走行レールに沿って走行自在とされるランナ本体と、該ランナ本体から下方向に突出した連結軸と、吊戸の上部に固定され前記連結軸と連結されるランナ取付具とからなり、前記ランナ取付具が吊戸に固定されるアウターケースと、前記連結軸に取り付けられ前記アウターケースに対して着脱自在とされるインナーケースとからなる吊戸の吊込み装置に関する。
【背景技術】
【０００２】
従来より、この種の吊込み装置として、下記特許文献１に、戸板に固定されるカップ部材と、このカップ部材の内部に着脱されるホルダ部材とからなり、前記ホルダ部材には、前記カップ部材の係合溝と係合ロックするため係合突起を備えた可動片が設けられ、この可動片には弾性が付与されているとともに、自由端には指先を掛けることのできる操作部が形成されている建具用ランナーが開示されている。
【０００３】
また、下記特許文献２には、戸板に取り付けられる受けケースと、この受けケースの内部に着脱される支持部材とからなり、前記支持部材は、スプリングにより常時上方に押しつけられた上下摺動可能なロック体を有し、該ロック体は前記支持部材の側面に開口した上下に長いガイド溝から突出する係合凸部と、該ロック体を操作するつまみ片とを備え、前記受けケースの内面には支持部材を受けケースにはめ込む時に前記係合凸部を受け入れる挿入溝と、該挿入溝の奥部で係合凸部を係合する係合段部とが設けられている送行体支持装置が開示されている。
【特許文献１】特許第２８８９５３８号公報
【特許文献２】特開平７−９１１３４号公報
【発明の開示】
【発明が解決しようとする課題】
【０００４】
しかしながら、上記特許文献１、２記載の装置ではいずれも、カップ部材又は受けケースからホルダ部材又は支持部材を取り外す際、これらの係合を解除するための操作部又はつまみ片を指先で操作しなければならず、このとき指先の狭い範囲に大きな力がかかるため、指先を痛めたり、爪を引っかけたりするおそれがあり、作業性が悪かった。さらに、このとき、前記操作部又はつまみ片を指先で操作した状態で、ホルダ部材又は支持部材を手前側に引き抜く操作を行わなければならず、上述の問題をさらに悪化させるとともに、作業性が悪かった。
【０００５】
一方、上記特許文献２記載の送行体支持装置では、前記受けケースに対する嵌合時につまみ片を操作して前記ロック体を没入させておき、ロック体に形成された係合凸部を挿入溝に係合させなければならないため、前記支持部材の装着に手間が掛かっていた。
【０００６】
そこで本発明の主たる課題は、ランナ取付具の係合及び解除を安全かつ容易に行うことができる吊戸の吊込み装置を提供することにある。
【課題を解決するための手段】
【０００７】
前記課題を解決するために請求項１に係る本発明として、走行レールに沿って走行自在とされるランナ本体と、該ランナ本体から下方向に突出した連結軸と、吊戸の上部に固定され前記連結軸と連結されるランナ取付具とからなり、前記ランナ取付具が吊戸に固定されるアウターケースと、前記連結軸に取り付けられ前記アウターケースに対して着脱自在とされるインナーケースとからなる吊戸の吊込み装置であって、
前記アウターケースは、上面に前記連結軸を挿入するための挿入溝が形成されるとともに、該挿入溝中間の両側縁部に凹状の切欠きによって溝幅を拡大させた被係合部が設けられ、
前記インナーケース内には、上下方向にスライド可能に支持されるとともに、バネ部材により突出方向に付勢保持され、突出した状態から没入可能とされるロック部材が備えられるとともに、該ロック部材の上端の両側部に水平方向に突出する係合部が設けられ、前記アウターケースに対する嵌合時に、前記係合部が前記アウターケースに形成された被係合部に係止することにより該インナーケースを抜脱不能に保持するようにしてあり、
前記ロック部材の吊戸小口側の側面に凹部が設けられるとともに、前記インナーケースの吊戸小口側の壁面に開口が形成され、前記開口から棒状物を差込み、先端を前記凹部に当接させて反付勢方向に移動することにより、前記インナーケースとアウターケースとの係合を解除可能としたことを特徴とする吊戸の吊込み装置が提供される。
【０００８】
上記請求項１記載の発明では、アウターケースに対する嵌合時には、ロック部材に形成された係合部が、前記アウターケースに形成された被係合部に係止することにより該インナーケースを抜脱不能に保持し、アウターケースからの抜脱時には、前記開口から棒状物を差込み、先端を前記凹部に当接させて反付勢方向に移動させることにより前記インナーケースとアウターケースとの係合を解除可能としているため、ランナ取付具の係合及び解除が容易となる。特に係合解除操作は、前記インナーケースの吊戸小口側の壁面に形成された開口からプラスドライバーなどの棒状物を差込み、その先端部をロック部材の吊戸小口側の側面に形成された凹部に当接させて反付勢方向に移動することにより、インナーケースとアウターケースとの係合を解除可能としたため、従来の吊込み装置のように指先で操作部をつまむ操作を行うことなくランナ取付具の係合を解除することができるようになり、指先を痛めたり爪を引っかけたりするおそれがなく、安全に着脱作業ができるようになる。
【０００９】
請求項２に係る本発明として、前記ロック部材には、両側面にインナーケースから外方に突出する突出軸が設けられるとともに、前記アウターケースには前記ロック部材の没入操作時に前記突出軸が摺接する傾斜辺が形成され、前記ロック部材の没入操作時に前記突出軸が前記傾斜辺を摺動することにより、前記インナーケースをアウターケースから抜脱方向に押し出すようにしてある請求項１記載の吊戸の吊込み装置が提供される。
【００１０】
上記請求項２記載の発明は、プラスドライバーなどの棒状物による前記ロック部材の没入操作と同時に、前記インナーケースがアウターケースから若干抜脱方向に押し出される構造とすることにより、ランナ取付具の解除をさらに容易化したものである。
【発明の効果】
【００１１】
以上詳説のとおり本発明によれば、ランナ取付具の係合及び解除を安全かつ容易に行うことができる吊戸の吊込み装置が提供される。
【発明を実施するための最良の形態】
【００１２】
以下、本発明の実施の形態について図面を参照しながら詳述する。
【００１３】
図１は、本発明に係る吊込み装置１によって支持された折戸２の全体斜視図であり、図２(A)(B)はそれぞれ吊込み装置１の側面図および背面図である。
【００１４】
図１に示されるように、折戸２は、開口部の上側に上ガイドレール３が配設されるとともに、下側に下ガイドレール４が配設され、折戸２の上側端に固定されるランナ本体６が前記上ガイドレール３に沿って走行案内されるとともに、折戸２の下側端に固定される下側走行体５が前記下ガイドレール４に沿って走行案内されることにより、開閉可能となっている。
【００１５】
前記吊込み装置１は、前記上ガイドレール３に沿って走行自在とされるランナ本体６と、該ランナ本体６から下方に突出した連結軸７と、折戸２の上部に対して固定され前記連結軸７と連結されるランナ取付具８とから主に構成されている。そして、前記ランナ取付具８は、図３に示されるように、吊戸に固定されるアウターケース９と、前記連結軸７に取り付けられるインナーケース１０とからなり、前記アウターケース９に対して、前記インナーケース１０が着脱自在とされている。
【００１６】
前記ランナ本体６は、図２に示されるように、ローラ支軸３０、３０によって両側に夫々２個ずつ支持された合計４個のローラ３１、３１…を備え、これらローラ３１、３１…が上ガイドレール３の走行溝３ａ、３ａを転動することにより上ガイドレール３に沿って移動自在となっている。また、前記ローラ支軸３０、３０間の略中央部から下方に向けて前記ランナ取付具８と連結される連結軸７が取り付けられている。
【００１７】
前記連結軸７は、図４に示されるように、軸部７ａの下部に、軸部７ａより相対的に径の小さな小径部７ｂを備えるとともに、この小径部７ｂの下端に、軸部７ａより相対的に径の大きな大径部７ｃを備えている。また軸部７ａの上端には、前記ランナ本体６に挿通されその上端でカシメることによりランナ本体６に連結されるようにしたカシメ部７ｄを備えている。
【００１８】
前記インナーケース１０には、図２及び図３にも示されるように、上下方向にスライド可能に支持されるとともに、バネ部材１２により突出方向に付勢保持され、突出した状態から没入可能とされるとともに、前記アウターケース９に対する嵌合時に、前記アウターケース９に形成された被係合部９ｄに係止することにより該インナーケース１０を抜脱不能に保持する係合部１１ａが形成されたロック部材１１と、このロック部材１１の下方側に一体的に設けられ、両端がインナーケース１０の両側面に形成された縦長の長孔１０ｅ、１０ｅに嵌合する突出軸１３と、前記連結軸７の上下方向位置を調整するための調整機構Ｒとが収容されている。
【００１９】
前記調整機構Ｒは、図４に示されるように、回動操作する調整ネジ１４と、この調整ネジ１４に螺設され、前記調整ネジ１４の回動操作によって螺進退可能とされる平行移動板１５と、この平行移動板１５が嵌入される切欠き１６ｂが形成された主動片１６ａと、この主動片１６ａから略直角方向に前記連結軸７の小径部７ｂに嵌合される従動片１６ｃとを備え、前記平行移動板１５の平行移動に伴って貫通孔１６ｄ、１６ｄに挿通された回動軸１７周りに回動し、前記連結軸７を上下方向に位置調整する作動部材１６と、前記調整ネジ１４の頭部とネジ部との境界に凹状溝１４ａが設けられ、この調整ネジ１４をインナーケース１０に装着した状態で、位置不動に保持するために前記凹状溝１４ａに挿入される規制板１８とから構成されている。
【００２０】
前記アウターケース９は、図５に示されるように、平面視で略Ｕ字状を成すケース体からなり、その前面が開放されている。前記アウターケース９の奥壁面には、アウターケース９を折戸２に固定するためのビス孔９ｂが形成されている。また両側面及び背面には、水平方向に連続した段差９ａが設けられ、アウターケース９の折戸２への嵌合及びインナーケース１０のアウターケース９への嵌合をガイドしている。なお、このアウターケース９は、図２に示されるように、予め工場段階で折戸２の上部端部にそれぞれビス４０により固定されて搬入されるか、或いは現場において吊込み装置１の取付けに先行して折戸２にビス４０により固定される。
【００２１】
前記アウターケース９は、上面に前記連結軸７を吊戸小口側から水平方向に挿入するため、吊戸小口側よりＵ字状に切り欠かれたスリット状の挿入溝９ｃが形成されている。また、前記挿入溝９ｃの中間部の両側縁部には、凹状の切欠きによって前記挿入溝９ｃの溝幅を拡大させた被係合部９ｄ、９ｄが設けられている。この被係合部９ｄ、９ｄは、インナーケース１０との嵌合時に、後述するインナーケース１０に設けられたロック部材１１の係合部１１ａと係合することにより、インナーケース１０を抜脱不能に保持するためのものである。なお、前記被係合部９ｄの吊戸小口側の側面９ｅは内側に傾斜して形成され、容易に係合が解除されないようになっている。
【００２２】
また、前記アウターケース９側面の吊戸小口側の端縁には、前記ロック部材１１の没入操作時に、このロック部材１１に設けられた突出軸１３が摺接する下向き方向の傾斜辺９ｆ、９ｆが形成されている。
【００２３】
一方、前記インナーケース１０は、図６に示されるように、前記アウターケース９との嵌合時に前記アウターケース９の内部に収容される収容ケース部１０Ａと、この収容ケース部１０Ａの吊戸小口側に一体的に設けられ、前記アウターケース９との嵌合時に前記アウターケース９の開口側端縁を蓋するように取り付けられる吊戸小口側の壁面１０Ｂとから構成されている。
【００２４】
前記収容ケース部１０Ａには、上面に開放し、前記ロック部材１１が収容されるロック部材収容部１０ａと、上面から下面に連通するように形成され、前記連結軸７が挿入される連結軸挿入孔１０ｂと、下面に開放し前記連結軸７の上下方向位置を調整するための位置調整機構Ｒが収容される位置調整機構収容部１０ｃとが形成されている。また、両側面及び背面には、アウターケース９に設けられた前記段差９ａと係合してアウターケース９への嵌合をガイドする水平方向に連続した段差１０ｎが設けられている。
【００２５】
前記ロック部材収容部１０ａには、両側面に、上面側より略Ｕ字形に切り欠かれた切欠き溝１０ｄ、１０ｄが形成されるとともに、その下方に上下方向に長い長孔１０ｅ、１０ｅが形成されている。また、前記ロック部材収容部１０ａの底面には、前記バネ部材１２の一方端が嵌合するバネ部材嵌合凹部１０ｆが形成されている。さらに、前記ロック部材収容部１０ａの手前面、すなわち吊戸小口側の壁面１０Ｂには、プラスドライバーＳなどの棒状物を挿入するための開口１０ｇが形成されている。
【００２６】
前記位置調整機構収容部１０ｃには、両側面に、前記調整ネジ１４に螺設された状態の平行移動板１５が跨って設けられ、前記調整ネジ１４の回動時に該平行移動板１５の回動を規制することにより平行移動板１５の螺進退を可能とする平行移動板係合窓１０ｈ、１０ｈが設けられている。また吊戸小口側の壁面１０Ｂには、前記調整ネジ１４を吊戸小口側から挿入するための貫通した調整ネジ用孔１０ｉが設けられるとともに、この調整ネジ用孔１０ｉに前記調整ネジ１４を挿入した状態で、前記調整ネジ１４の凹状溝１４ａに前記規制板１８を係合させるため、下面側から前記調整ネジ用孔１０ｉに横断して設けられる挿入溝１０ｊが設けられている。さらに前記位置調整機構収容部１０ｃの上面から垂下して形成され、前記作動部材１６の回動軸１７が挿入される貫通孔１０ｋを有する垂下体１０ｍが備えられている。
【００２７】
前記ロック部材１１は、図７に示されるように、その上端に前記アウターケース９に対する嵌合時に前記アウターケース９に形成された被係合部９ｄに係止する、両側に突出した略直方体形状の係合部１１ａが設けられている。この係合部１１ａの吊戸小口側の側面１１ｂは、前記アウターケース９の被係合部９ｄの手前側側面９ｅと係合するように傾斜して形成されている。かかる吊戸小口側の側面１１ｂを有する係合部１１ａと、前記吊戸小口側の側面９ｅを有する被係合部９ｄとの嵌合時に、インナーケース１０とアウターケース９との確実な係合が維持できるようになる。なお、前記ロック部材１１の上面の先端側は、アウターケース９への嵌合時に、アウターケース９の挿入溝９ｃが形成された上面壁に当接することにより自動的にインナーケース１０の内部に没入するように、前記係合部１１ａを含めた領域を面取りした傾斜状の当接面１１ｄが形成されている。
【００２８】
また、前記ロック部材１１の吊戸小口側の側面には、括れ状の凹部１１ｃが設けられている。この凹部１１ｃは、吊戸小口側からプラスドライバーＳなどの棒状物を差込んで、その先端を当てた状態で下方向に移動させることにより、ロック部材１１とアウターケース９との係合を解除するためのものである。よって、プラスドライバーＳの先端の差込みを容易化するため、凹部１１ｃの上下面は図示例のように、それぞれ吊戸小口側に向けて拡開して形成されることが望ましい。
【００２９】
前記ロック部材１１の下面には、前記バネ部材１２の他方端が嵌合して該ロック部材１１を突出方向に付勢するバネ部材嵌合凹部１１ｅが設けられている。またロック部材１１の下面には、下方に延在する延在部１１ｆが設けられ、この延在部１１ｆには、前記インナーケース１０に装着した状態で、前記インナーケース１０の両側面に形成された長孔１０ｅ、１０ｅから突出して設けられる前記突出軸１３を嵌挿するための貫通孔１１ｇが設けられている。前記長孔１０ｅ、１０ｅ内で前記突出軸１３を移動可能とすることにより、前記ロック部材１１の上下方向移動範囲を制限している。
【００３０】
次に、前記インナーケース１０とアウターケース９との係合方法及びその解除方法について、図８〜図１１に基づいて詳述する。
【００３１】
先ず、前記インナーケース１０とアウターケース９との係合方法は、図８(A)に示されるように、アウターケース９の開口にインナーケース１０を対面させた状態とし、図８(B)に示されるように、インナーケース１０をアウターケース９に嵌合させる。その際、ロック部材１１はアウターケース９の上面壁に当接することにより自動的にインナーケース１０の内部に没入する。そのままインナーケース１０を奥側まで嵌合させると、ロック部材１１の係合部１１ａがアウターケース９の被係合部９ｄ位置に到達した段階で、図８(C)に示されるように、ロック部材１１が上方向に移動し、ロック部材１１の係合部１１ａがアウターケース９の被係合部９ｄに係合し、インナーケース１０が抜脱不能に保持される。
【００３２】
次いで、前記インナーケース１０をアウターケース９から抜脱させるには、図９(A)及び図１０(A)に示されるように、インナーケース１０の吊戸小口側の壁面１０Ｂに形成された開口１０ｇから斜め上方に向けてプラスドライバーＳを差込み、このプラスドライバーＳの先端をロック部材１１の凹部１１ｃに当接させる。この状態で、プラスドライバーＳの先端側を下降させるように揺動操作し、図９(B)及び図１０(B)に示されるように、ロック部材１１をバネの付勢力に抗して下方側に移動させるようにする。
【００３３】
このとき、図１１(A)〜(C)に示されるように、ロック部材１１の没入操作時に、突出軸１３がアウターケース９の傾斜辺９ｆ、９ｆを摺動することにより、インナーケース１０がアウターケース９から抜脱方向に若干押し出されるようになっている。すなわち、図１１(A)に示されるように、プラスドライバーＳの先端をロック部材１１の凹部１１ｃに当接させて下方向側に移動することにより、図１１(B)に示されるように、突出軸１３がアウターケース９の傾斜辺９ｆに当接し、この状態からさらに下方向に移動させると、前記突出軸１３は傾斜辺９ｆを摺動する。これにより、反作用的にインナーケース１０自体が吊戸小口側に押し出され、その後プラスドライバーＳを引き抜いてロック部材１１を付勢力により突出させてもロック部材１１の係合部１１ａがアウターケース９の被係合部９ｄに係合することはなく、簡単に係合が解除できるようになっている。
【００３４】
その後、図９(C)に示されるように、インナーケース１０がアウターケース９から完全に引き出される。
【図面の簡単な説明】
【００３５】
【図１】折戸２の全体斜視図である。
【図２】(A)、(B)はそれぞれ本発明に係る吊込み装置１の側面図および背面図である。
【図３】ランナ取付け具８の斜視図である。
【図４】ランナ取付具８の分解斜視図である。
【図５】アウターケース９を示す、(A)は縦断面図、(B)は上面図、(C)は前面図である。
【図６】インナーケース１０を示す、(A)は縦断面図、(B)は上面図、(C)は前面図、(D)は背面図、(E)は下面図である。
【図７】ロック部材１１を示す、(A)は側面図、(B)は上面図、(C)は前面図、(D)は背面図、(E)は下面図である。
【図８】(A)、(B)、(C)はインナーケース１０とアウターケース９との係合要領を示すランナ取付具８の縦断面図である。
【図９】(A)、(B)、(C)はインナーケース１０とアウターケース９との係合解除要領を示すランナ取付具８の縦断面図である。
【図１０】(A)、(B)はインナーケース１０とアウターケース９との係合解除要領を示すランナ取付具８の縦断面斜視図である。
【図１１】(A)、(B)、(C)はインナーケース１０とアウターケース９との係合解除要領を示すランナ取付具８の側面図である。
【符号の説明】
【００３６】
１…吊込み装置、２…折戸、３…上ガイドレール、４…下ガイドレール、５…下側走行体、６…ランナ本体、７…連結軸、８…ランナ取付具、９…アウターケース、９ｄ…被係合部、１０…インナーケース、１０ｇ…開口、１１…ロック部材、１１ａ…係合部、１１ｃ…凹部、１２…バネ部材、１３…突出軸、１４…調整ネジ、１５…平行移動板、１６…連結部材、１７…回動軸、１８…並進規制板、Ｓ…プラスドライバー
【図１】
0005294640.tif 000002
【図２】
0005294640.tif 000003
【図３】
0005294640.tif 000004
【図４】
0005294640.tif 000005
【図５】
0005294640.tif 000006
【図６】
0005294640.tif 000007
【図７】
0005294640.tif 000008
【図８】
0005294640.tif 000009
【図９】
0005294640.tif 000010
【図１０】
0005294640.tif 000011
【図１１】
0005294640.tif 000012